(57)【要約】【課題】雨水による湿潤を防止し、容易に補強でき、打設後の作業性改善を目的とする。【解決手段】コンクリート止め用型枠部材１は、袋体１０の内部に四角柱状の多孔質弾性体２０を収納してなる。袋体１０は、内側が平滑面１０ａで外側が凹凸面１０ｂとなった合成樹脂シート材を有底角筒状に縫合して製造され、多孔質弾性体２０をスッポリと収納することができる本体部１１と上部閉じ代部１２とを有する。上部閉じ代部１２は、左右一対の面１２ａ，１２ｂを内側へ折り込みつつ、前後一対の面１２ｃ，１２ｄを重ね合わせて縫合することによって閉じられ、空気抜き穴４０は、屋根部１４ａ，１４ｂの下に隠れている。多孔質弾性体２０は、半割構造で、間に芯材３０を挟み込ん補強されている。【選択図】  図１
2017190605.tif 000002
【特許請求の範囲】
【請求項１】
空気抜き穴を備えた合成樹脂製の袋体の内部に芯材を埋設した四角柱状の多孔質弾性体を収納してなり、さらに、以下の構成をも備えていることを特徴とするコンクリート止め用型枠部材。
（１Ａ）前記袋体は、前記収納した多孔質弾性体の上端よりも上に伸びる上部閉じ代部を有する有底付角筒状に構成され、前記上部閉じ代部が、一対の面を内側へ折り込みつつ他の一対の面を前記多孔質弾性体の上端近傍で重ね合わせる様に縫合されていること。
（１Ｂ）前記空気抜き穴は、前記上部閉じ代部において内側へ折り込まれる面に備えられていること。
【請求項２】
さらに、以下の構成をも備えていることを特徴とする請求項１に記載のコンクリート止め用型枠部材。
（２）前記多孔質弾性体を半割構造とし、前記芯材を間に挟み込む様に埋設したこと。
【請求項３】
さらに、以下の構成をも備えていることを特徴とする請求項１又は２に記載のコンクリート止め用型枠部材。
（３）前記袋体が、内側が平滑面で外側が凹凸面とされた合成樹脂シート材で構成されていること。
【発明の詳細な説明】
【技術分野】
【０００１】
本発明は、コンクリートの打継ぎに用いるコンクリート止め用型枠部材に関する。
【背景技術】
【０００２】
従来、空気抜き穴を備えた合成樹脂製の袋体の内部に概略Ｔ字形状の芯材を埋設した四角柱状の多孔質弾性体を収納してなるコンクリート止め用型枠部材が提案されている（特許文献１）。
【０００３】
特許文献１のコンクリート止め用型枠部材は、図５に示す様に、ジッパーによって口を開閉自在に封止する袋体の内部に、芯材を埋設した多孔質弾性体を収納してなり、ジッパーの下方に空気抜き穴を設け、ジッパーで口を封止した状態でも袋体から空気を排出したり、吸い込んだりすることができる。
【先行技術文献】
【特許文献】
【０００４】
【特許文献１】特開２０１２−１２８９６号公報（００１０，図１）
【発明の概要】
【発明が解決しようとする課題】
【０００５】
しかし、特許文献１のコンクリート止め用型枠部材は、ジッパーの閉め忘れによる雨水の浸入や空気抜き穴からの雨水の浸入により、多孔質弾性体が水を吸って重くなってしまうという問題がある。また、補強用の芯材を多孔質弾性体に埋設する作業がやり難いという問題も生じる。さらに、コンクリート打設後の作業性を改善する必要もある。
【０００６】
そこで、本発明は、袋体に多孔質弾性体を収納したコンクリート止め用型枠部材の雨水による湿潤防止を第１目的とし、容易に補強することを第２目的とし、さらに、コンクリート打設後の作業性改善を第３目的としてなされたものである。
【課題を解決するための手段】
【０００７】
第１目的を達成するためになされた本発明のコンクリート止め用型枠部材は、空気抜き穴を備えた合成樹脂製の袋体の内部に芯材を埋設した四角柱状の多孔質弾性体を収納してなり、さらに、以下の構成をも備えていることを特徴とする。
（１Ａ）前記袋体は、前記収納した多孔質弾性体の上端よりも上に伸びる上部閉じ代部を有する有底付角筒状に構成され、前記上部閉じ代部が、一対の面を内側へ折り込みつつ他の一対の面を前記多孔質弾性体の上端近傍で重ね合わせる様に縫合されていること。
（１Ｂ）前記空気抜き穴は、前記上部閉じ代部において内側へ折り込まれる面に備えられていること。
【０００８】
第１目的を達成するためになされた本発明のコンクリート止め用型枠部材によれば、袋体をしっかりと閉じることができると共に、空気抜き穴による空気の吸排を自在としつつ、空気抜き穴を上部閉じ代部において内側へ折り込む面に設けて雨水の浸入を防止することができ、多孔質弾性体の湿潤を防止することができる。
【０００９】
第２目的を達成するためになされた本発明のコンクリート止め用型枠部材は、上記構成に加えて、さらに、以下の構成をも備えていることを特徴とする。
（２）前記多孔質弾性体を半割構造とし、前記芯材を間に挟み込む様に埋設したこと。
【００１０】
第２目的を達成するためになされた本発明のコンクリート止め用型枠部材によれば、多孔質弾性体への芯材の埋設作業がやり易く、容易に補強することができる。
【００１１】
第３目的を達成するためになされた本発明のコンクリート止め用型枠部材は、上記構成に加えて、さらに、以下の構成をも備えていることを特徴とする。
（３）前記袋体が、内側が平滑面で外側が凹凸面とされた合成樹脂シート材で構成されていること。
【００１２】
第３目的を達成するためになされた本発明のコンクリート止め用型枠部材によれば、外面が凹凸面となっているので、凹部に空気が閉じこめられ、打設したコンクリートとの接触面が密着し過ぎることがないから、取り外し作業が容易である。なお、内側を平滑面とすることで、多孔質弾性体を収納したり取り出したりする作業もスムーズに行うことができる。
【発明の効果】
【００１３】
（１Ａ），（１Ｂ）の構成を備えた本発明によれば、袋体に多孔質弾性体を収納したコンクリート止め用型枠部材の雨水による湿潤を防止することができ、さらに（２）の構成をも備えることで容易に補強することができ、（３）の構成をも備えることでコンクリート打設後の作業性を改善することができる。
【図面の簡単な説明】
【００１４】
【図１】実施例１のコンクリート止め用型枠部材を示し、（Ａ），（Ｂ）は斜視図、（Ｃ）は要部拡大斜視図である。
【図２】実施例１のコンクリート止め用型枠部材を示し、（Ａ），（Ｂ）は断面図、（Ｃ）は要部拡大断面図である。
【図３】実施例１における多孔質弾性体の製造手順を示し、（Ａ）は芯材の分解斜視図、（Ｂ）は芯材の斜視図、（Ｃ）は多孔質弾性体の分解斜視図、（Ｄ）は多孔質弾性体の斜視図である。
【図４】実施例１のコンクリート止め用型枠部材の製造手順を示し、（Ａ）は分解斜視視図、（Ｂ），（Ｃ）は斜視図である。
【図５】従来技術の説明図である。
【発明を実施するための形態】
【００１５】
以下に、本発明を実施するための形態を実施例に基づいて説明する。
【実施例１】
【００１６】
実施例１のコンクリート止め用型枠部材１は、図１（Ａ），（Ｂ）に示す様に、合成樹脂製の袋体１０の内部に四角柱状の多孔質弾性体２０を収納してなる。本実施例のコンクリート止め用型枠部材１は、床用（スラブ用）として用いる寸法に製造されている。
【００１７】
多孔質弾性体２０は、図２，図３に示す様に、前側ブロック２１と、後側ブロック２２とからなる半割構造とされ、間に芯材３０を挟み込む様に埋設している。芯材３０は、ポリプロピレン製Ｔ字管３１の垂直部３１ａに対してポリプロピレン製直管３２を嵌合させると共に、ポリプロピレン製直管３２のほぼ全長にわたって塩化ビニル製角棒３３を挿入した構造とされている。
【００１８】
袋体１０は、図２（Ｃ）に示す様に内側が平滑面１０ａで外側が凹凸面１０ｂとなった合成樹脂シート材を、図４（Ａ）に示す様に有底角筒状に縫合することによって製造され、多孔質弾性体２０をスッポリと収納することができる内側寸法と高さとを有する本体部１１と、その上方に伸びる上部閉じ代部１２とを有する。
【００１９】
袋体１０は、図４（Ｂ），（Ｃ）に示す様に、上部閉じ代部１２の左右一対の面１２ａ，１２ｂを内側へ折り込みつつ、前後一対の面１２ｃ，１２ｄを重ね合わせて縫合することによって閉じられている。この際、前後一対の面１２ｃ，１２ｄは、指で掴むことが可能な高さの掴み代１３を形成しつつ、前後方向に伸びる屋根部１４ａ，１４ｂがわずかな傾斜となる様に、多孔質弾性体２０の上端近傍と、上部閉じ代部１２の上端近傍とで水平方向に縫合されている。
【００２０】
また、上部閉じ代部１２の左右一対の面１２ａ，１２ｂにおいて、三角形状に内側へ折り込まれる部分の中心やや下側には、シート材を貫通する空気抜き穴４０を形成する様に、ハトメ金具４１が取り付けられている。この空気抜き穴４０は、図１（Ｃ），図２（Ａ）等に示す様に、屋根部１４ａ，１４ｂの下に隠れる様にして開口された状態となる。
【００２１】
以上の様に構成した本実施例のコンクリート止め用型枠部材１からは、以下の技術的思想を抽出することができる。
【００２２】
空気抜き穴４０を備えた合成樹脂製の袋体１０の内部に概略Ｔ字形状の芯材３０を埋設した四角柱状の多孔質弾性体２０を収納してなり、さらに、以下の構成をも備えることを特徴とするコンクリート止め用型枠部材１。
（１Ａ）袋体１０は、収納した多孔質弾性体２０の上端よりも上に伸びる上部閉じ代部１２を有する有底付角筒状に構成され、上部閉じ代部１２が、一対の面１２ａ，１２ｂを内側へ折り込みつつ他の一対の面１２ｃ，１２ｄを多孔質弾性体２０の上端近傍で重ね合わせる様に縫合されていること。
（１Ｂ）空気抜き穴４０は、上部閉じ代部１２において内側へ折り込まれる面１２ａ，１２ｂに備えられていること。
【００２３】
この結果、本実施例によれば、袋体１０をしっかりと閉じることができると共に、空気抜き穴４０による空気の吸排を自在としつつ、空気抜き穴４０を上部閉じ代部１２において内側へ折り込む面１２ａ，１２ｂに設けて雨水の浸入を防止することができ、多孔質弾性体２０の湿潤を防止することができる。
【００２４】
上記構成に加えて、さらに、以下の構成をも備えていることを特徴とするコンクリート止め用型枠部材１。
（２）多孔質弾性体２０を半割構造とし、芯材３０として間に挟み込む様に埋設したこと。
【００２５】
この結果、本実施例のコンクリート止め用型枠部材１によれば、多孔質弾性体２０への芯材３０の埋設作業がやり易く、容易に補強することができる。
【００２６】
上記構成に加えて、さらに、以下の構成をも備えていることを特徴とするコンクリート止め用型枠部材１。
（３）袋体１０が、内側が平滑面１０ａで外側が凹凸面１０ｂとされた合成樹脂シート材で構成されていること。
【００２７】
この結果、本実施例のコンクリート止め用型枠部材１によれば、外側が凹凸面１０ｂとなっているので、凹部に空気が閉じこめられ、打設したコンクリートとの接触面が密着し過ぎることがないから、取り外し作業が容易である。なお、内側を平滑面１０ａとしているので、多孔質弾性体２０を収納したり取り出したりする作業もスムーズに行うことができる。
【００２８】
以上、本発明の実施例を説明したが、本発明はこれに限定されるものではなく、その要旨を逸脱しない範囲内で種々に実施することができる。
【００２９】
例えば、芯材３０としては、塩化ビニル製角棒３３のみを多孔質弾性体２０に埋設するだけでもよい。また、スラブ用に限らず、壁用、柱用などとして用い得る外形寸法にしても構わない。
【産業上の利用可能性】
【００３０】
本発明は、コンクリート打ち継ぎの際のコンクリート止めに用いることができる。
【符号の説明】
【００３１】
１・・・コンクリート止め用型枠部材、１０・・・袋体、１０ａ・・・平滑面、１０ｂ・・・凹凸面、１１・・・本体部、１２・・・上部閉じ代部、１２ａ，１２ｂ・・・左右一対の面、１２ｃ，１２ｄ・・・前後一対の面、１３・・・掴み代、１４ａ，１４ｂ・・・屋根部、２０・・・多孔質弾性体、２１・・・前側ブロック、２２・・・後側ブロック、３０・・・芯材、３１・・・ポリプロピレン製Ｔ字管、３１ａ・・・垂直部、３２・・・ポリプロピレン製直管、３３・・・塩化ビニル製角棒、４０・・・空気抜き穴、４１・・・ハトメ金具。
【図１】
2017190605.tif 000003
【図２】
2017190605.tif 000004
【図３】
2017190605.tif 000005
【図４】
2017190605.tif 000006
【図５】
2017190605.tif 000007